(57)【要約】【課題】復帰回動するハンマーを確実に係止できるとともに、製造コストを削減することができるピアノのバックチェックを提供する。【解決手段】打弦後に復帰回動するハンマー３を係止することによって、ハンマー３のリバウンドを防止するためのピアノのバックチェックであって、ハンマー３との係止部に設けられ、上下方向に延びるとともに上下方向の中央部が盛り上がった貼付け面３１ｄを有するバックチェック本体３１と、バックチェック本体３１の貼付け面３１ｄに貼り付けられたアンダーフェルト３２と、アンダーフェルト３２を覆うようにバックチェック本体３１に貼り付けられ、貼付け面３１ｄによりハンマー３を係止するための所定の曲面形状の係止面３３ａを有するように形成されたシート状のクッション材３３と、を備えている。【選択図】  図２
2005031284.tif 000002
【特許請求の範囲】
【請求項１】
打弦後に復帰回動するハンマーを係止することによって、ハンマーのリバウンドを防止するためのピアノのバックチェックであって、
前記ハンマーとの係止部に設けられ、上下方向に延びるとともに上下方向の中央部が盛り上がった貼付け面を有するバックチェック本体と、
当該バックチェック本体の前記貼付け面に貼り付けられたアンダーフェルトと、
当該アンダーフェルトを覆うように前記バックチェック本体に貼り付けられ、前記貼付け面により前記ハンマーを係止するための所定の曲面形状の係止面を有するように形成されたシート状のクッション材と、
を備えていることを特徴とするピアノのバックチェック。
【請求項２】
前記バックチェック本体には、重量を低減するための孔および凹部の少なくとも一方が形成されていることを特徴とする請求項１に記載のピアノのバックチェック。
【発明の詳細な説明】
【０００１】
【発明の属する技術分野】
本発明は、打弦後にハンマーを係止することによって、ハンマーのリバウンドを防止するためのピアノのバックチェックに関する。
【０００２】
【従来の技術】
従来のバックチェックを有するアクションとして、例えば特許文献１に開示されたものが知られている。図５は、このアクション６０を鍵２の離鍵状態において示している。アクション６０は、アコースティックなグランドピアノのものであり、後端部（同図の左端部）を中心に回動自在で、鍵２の後部に載置されたウィッペン４と、ウィッペン４に回動自在に取り付けられたレペティションレバー５およびジャック６と、両者５、６を復帰方向（同図の反時計方向）に付勢するレペティションスプリング７とを備えている。
【０００３】
鍵２の前部には、図示しない鍵重りが取り付けられており、この鍵重りとアクション６０などとのバランスによって、鍵２のタッチ重さが調整される。また、レペティションレバー５の前部には、上下方向に貫通するジャック案内孔５ｃが形成されており、このジャック案内孔５ｃの付近に、シャンクローラ８を介してハンマー３が載置されている。
【０００４】
ハンマー３は、前後方向に延びるとともにシャンクローラ８が取り付けられたハンマーシャンク１４と、その先端部に取り付けられたハンマーヘッド１５などで構成されており、ハンマーシャンク１４の基端部が、ハンマーシャンクフレンジ１６に回動自在に取り付けられている。ハンマーヘッド１５は、木材によって構成され、上下方向に延びるハンマーウッド３５と、その上部に巻かれ、上方の弦Ｓを打弦するハンマーフェルト３４を有している。
【０００５】
ジャック６は、ウィッペン４の前端部の支点４ｂに回動自在に取り付けられており、全体としてＬ字状に形成されていて、その上端部が、レペティションレバー５のジャック案内孔５ｃに、これに沿って移動自在に係合している。また、ジャック６には、その角度位置を調整するためのジャックボタンスクリュー１１が、前後方向に貫通した状態で進退自在に螺合している。
【０００６】
ジャックボタンスクリュー１１の先端部には、ジャックボタン１２が一体に設けられている。ジャックボタン１２は、その一端面の中心にジャックボタンスクリュー１１がねじ込まれることにより、ジャック６に取り付けられている。また、ジャックボタン１２の他端面がウィッペン４のスプーン１３に当接している。
【０００７】
鍵２の後端部の上面には、バックチェック４０が、ハンマーウッド３５のテール部３５ａとわずかな間隙を存する状態で、座板２ａおよびバックチェックワイヤ４１を介して取り付けられている。バックチェック４０は、バックチェック本体４２およびその前面から背面の上部にわたって貼り付けられたクッション材４３によって構成されている。
【０００８】
この離鍵状態から、鍵２が押鍵されると、ウィッペン４が突き上げられることにより回動し、レペティションレバー５およびジャック６がウィッペン４と一緒に上方に移動する。これらの移動に伴い、まず、レペティションレバー５が、シャンクローラ８を摺動させながらこれを介してハンマー３を押し上げ、上方に回動させる。次いで、レペティションレバー５がドロップスクリュー９に係合することにより、ジャック６の上端がシャンクローラ８を介してハンマー３を突き上げる。その後、ハンマー３が、上方に張られた弦Ｓを打弦する直前まで回動した時点で、ジャック６の前端部が、レギュレーティングボタン１０に係合することによって回動し、シャンクローラ８から離れる。これにより、ハンマー３は、アクション６０および鍵２との連結を解かれ、自由回動状態で弦Ｓを打弦する。
【０００９】
弦Ｓを打弦したハンマー３は、打弦の反動で復帰方向に回動する。その際、鍵２が押鍵されていることにより、その後端部のバックチェック４０は、離鍵状態のときよりも上方に位置しており、この状態で、復帰回動するハンマー３のテール部３５ａが、バックチェック４０に当たる。バックチェック４０にはクッション材４３が貼り付けられていることにより、接触したハンマー３は、リバウンドすることなく、その位置に係止され、停止する。
【００１０】
その後、鍵２が離鍵され、ある程度まで戻されたタイミングで、レペティションレバー５が作動し始め、レペティションスプリング７のばね力で反時計方向に復帰回動することによって、シャンクローラ８を摺動させながら押し上げる。これにより、ジャック６は、レペティションスプリング７のばね力で反時計方向に復帰回動するとともに、ジャックボタン１２がストッパ１３に当接することにより、元の角度位置に戻る。このように、ジャック６が元の角度位置に戻り且つその時には上述したようにハンマー３がすでに停止していることによって、鍵２が完全に戻らなくても、次の打弦を行うことが可能になり、同じ弦Ｓをハンマー３で連打することができ、トリルを行う場合のような同じ鍵２を連続して速く叩く連打を行うことができる。
【００１１】
一方、バックチェックを以下のように構成することも、従来、知られている。図６に示すように、このバックチェック５０は、バックチェック本体５１、アンダーフェルト５２およびクッション性を有する皮革５３によって構成されている。バックチェック本体５１の前面の上半部には、平坦に切り欠かれたフェルト貼付け面５１ａが形成されている。アンダーフェルト５２は、このフェルト貼付け面５１ａに貼り付けられており、その貼付け後に、サンドペーパーなどで削られることによって、その上部が下端部よりも厚くなるように整形される。また、皮革５３は、アンダーフェルト５２を覆うように、バックチェック５０の前面の下端から背面の上部に渡って貼り付けられている。このため、皮革５３の前側の表面は、アンダーフェルト５２の形状に従って、上下方向のほぼ中央がわずかに窪んだ緩やかな曲面になっている。これにより、離鍵状態からの押鍵に伴ってハンマー３が回動する際に、ハンマー３のテール部３５ａが皮革５３の曲面に沿って回動することで、バックチェック５０との接触を確実に回避できる。また、打弦の直後においては、打弦の反動で復帰回動するハンマー３のテール部３５ａが、皮革５３のわずかな窪みの部分に係止されることで、バックチェック５０への衝突の際の衝撃をより効果的に緩衝でき、ハンマー３をより確実に停止させることができる。
【００１２】
【特許文献１】
特開２００３−３６０７３号公報  （第３、４頁、第１図）
【００１３】
【発明が解決しようとする課題】
しかし、上述した従来のピアノのバックチェックには、以下のような問題がある。すなわち、皮革５３の上述した曲面を得るためには、アンダーフェルト５２をバックチェック本体５１に貼り付けた後に、サンドペーパーなどで削ることにより整形する工程が必要であり、その分、製造コストが増大してしまう。
【００１４】
また、バックチェックは、グランド型ピアノの場合、鍵２の後端部に取り付けられており、鍵２の支点から離れた位置にある一方、アップライト型の場合、ウィッペンの回動支点から離れた位置に取り付けられている。このため、バックチェックの重量は、いずれのタイプのピアノにおいても、鍵２のタッチ重さである静的荷重におよぼす影響が比較的大きく、適正な静的荷重を得るためには、鍵２の前部にある程度の量の鍵重りを取り付けなければならない。したがって、鍵重りの量を減らすことができず、そのため、製造コストを削減することができない。
【００１５】
本発明は、このような課題を解決するためになされたものであり、復帰回動するハンマーを確実に係止できるとともに、製造コストを削減することができるピアノのバックチェックを提供することを目的としている。
【００１６】
【課題を解決するための手段】
この目的を達成するために、本発明の請求項１に係る発明は、打弦後に復帰回動するハンマーを係止することによって、ハンマーのリバウンドを防止するためのピアノのバックチェックであって、ハンマーとの係止部に設けられ、上下方向に延びるとともに上下方向の中央部が盛り上がった貼付け面を有するバックチェック本体と、バックチェック本体の貼付け面に貼り付けられたアンダーフェルトと、アンダーフェルトを覆うようにバックチェック本体に貼り付けられ、貼付け面によりハンマーを係止するための所定の曲面形状の係止面を有するように形成されたシート状のクッション材と、を備えていることを特徴とする。
【００１７】
このピアノのバックチェックによれば、バックチェック本体の貼付け面は、その上下方向の中央部が盛り上がっているので、この貼付け面に貼り付けられたアンダーフェルトは、貼付け面の形状に従って、上下方向の中央部が盛り上がった状態になっている。このため、アンダーフェルトを覆うようにバックチェック本体に貼り付けられたクッション材の表面が、曲面になっている。すなわち、アンダーフェルトおよびクッション材を順に貼り付けるだけで、クッション材の表面形状を曲面にすることができ、したがって、アンダーフェルトをバックチェック本体に貼り付けた後に、その形状を整える必要がないので、その分、製造に要するコストを削減することができる。
【００１８】
請求項２に係る発明は、請求項１に記載のピアノのバックチェックにおいて、バックチェック本体には、重量を低減するための孔および凹部の少なくとも一方が形成されていることを特徴とする。
【００１９】
このピアノのバックチェックによれば、バックチェック本体に孔および凹部の少なくとも一方が形成されているので、その分、バックチェックが軽量化されている。このため、グランド型およびアップライト型のいずれのタイプのピアノにおいても、適正な静的荷重を得るための鍵重りの量を削減することができ、その分、製造コストを削減することができる。
【００２０】
【発明の実施形態】
以下、図面を参照しながら、本発明の好ましい実施形態を詳細に説明する。図１は、本発明を適用したバックチェック３０を含むアコースティックなグランドピアノのアクション１を示している。このアクション１は、すでに説明した従来のアクション６０と比較して、基本的な構成は同じであり、バックチェック３０など細部の構成のみが異なるものであるため、共通の構成部品については、同じ符号を用いて説明を行うものとする。
【００２１】
このアクション１は、鍵２を載置する筬（図示せず）の左右端部にそれぞれ設けたブラケット２１（図１に一方のみ図示）に取り付けられている。左右のブラケット２１、２１間には、ウィッペンレール２２およびハンマーシャンクレール２３が渡されており、このウィッペンレール２２にねじ止めした各ウィッペンフレンジ２４に、ウィッペン４の後端部が回動自在に取り付けられている。
【００２２】
各ウィッペン４は、木材または合成樹脂によって所定の形状に形成されており、対応する鍵２の上面後部に設けられたキャプスタンボタン２５に、ヒール部４ａを介して載置されている。また、レペティションレバー５は、その中央部でウィッペン４に回動自在に連結されており、その上面前部には、ハンマー３のシャンクローラ８が摺接している。
【００２３】
レペティションレバー５は、木材または合成樹脂の成形品で構成されており、断面が矩形状で、斜め前上がりに前後方向に延びている。このレペティションレバー５の前部の所定位置には、上下方向に貫通するジャック案内孔５ｃが前後方向に延びるように形成されており、このジャック案内孔５ｃよりも前側の上面に、レバースキン２９が貼り付けられている。レペティションレバー５の後端部には、レバースクリュー２７が上下方向に貫通した状態で進退自在に螺合しており、レバースクリュー２７の下端部には、レバーボタン２８が一体に設けられている。また、レペティションレバー５は、ウィッペン４に取り付けられたレペティションスプリング７によって、復帰方向（図１の時計方向）に付勢されている。
【００２４】
ジャック６は、ウィッペン４の前端部の支点４ｂに回動自在に取り付けられた基部６ａ、基部６ａから上方に延びるハンマー突上げ部６ｂ、および基部６ａから前方（図１の右方）に延びるレギュレーティングボタン当接部６ｃを有している。このジャック６は、例えば合成樹脂の成形品によって一体に形成されており、ハンマー突上げ部６ｂの先端部は、レペティションレバー５のジャック案内孔５ｃに、前後方向に移動自在に係合するとともに、離鍵状態においては、シャンクローラ８と微小な間隔を存して対向している。また、ジャック６は、レペティションレバー５を付勢するレペティションスプリング７によって、復帰方向（図１の反時計方向）に付勢されている。
【００２５】
ハンマー突上げ部６ｂの長さ方向のほぼ中央には、ジャックボタンスクリュー１１が前後方向に貫通した状態で進退自在に螺合している。ジャックボタンスクリュー１１の先端部には、ジャック６の角度位置を調整するためのジャックボタン１２が一体に設けられている。このジャックボタン１２は、ジャックボタンスクリュー１１にねじ込まれて取り付けられたジャックボタン本体１２ａと、ジャックボタンスクリュー１１と反対側の端面に設けられたフェルト１２ｂとで構成されており、離鍵状態では、フェルト１２ｂがウィッペン４に立設されたストッパ１３に当接している。
【００２６】
一方、ハンマー３は、前後方向に延びるハンマーシャンク１４と、その先端部に取り付けたハンマーヘッド１５などで構成されており、ハンマーシャンク１４の基端部において、ハンマーシャンクレール２３にねじ止めしたハンマーシャンクフレンジ１６に回動自在に取り付けられている。ハンマーシャンク１４の下面前部の所定位置には、シャンクローラ８が取り付けられている。このシャンクローラ８は、例えば、内側のクロスとその外側に巻いたスキンから、円柱状に形成されており、レペティションレバー５の前端部と所定の間隔をもって対向している。
【００２７】
ハンマーシャンクレール２３の下面には、レギュレーティングレール１７がねじ止めされている。また、このレギュレーティングレール１７の下面に、ジャック６の上方への回動を規制するレギュレーティングボタン１０が、進退自在に螺合しており、ジャック６のレギュレーティングボタン当接部６ｃの先端部と所定の間隔をもって対向している。
【００２８】
一方、ハンマーヘッド１５は、ハンマーシャンク１４の先端部に取り付けられたハンマーウッド３５と、その上部に巻かれ、上方の弦Ｓを打弦するハンマーフェルト３４を有している。ハンマーウッド３５は、ハンマーシャンク１４とほぼ直角の角度をなすように上下方向に延びており、ハンマーシャンク１４との接続部よりも上側の部分は、ほぼ前後対称に上方に向かってテーパ状に形成されている。ハンマーシャンク１４よりも下側の部分は、下方に向かってテーパ状に形成されたテール部３５ａになっており、後面が外側に凸に、前面が内側に凸に若干、湾曲している。
【００２９】
このテール部３５ａの後方には、バックチェック３０がわずかな間隙を存して対向している。このバックチェック３０は、鍵２の後端部の上面に座板２ａおよびバックチェックワイヤ４１を介して取り付けられている。図２に示すように、バックチェック３０は、バックチェック本体３１と、これに順に貼り付けられたアンダーフェルト３２およびシート状のクッション材３３によって構成されている。バックチェック本体３１は、例えば木材または合成樹脂によって構成され、上下方向に長い所定の形状を有している。このバックチェック本体３１の下面には、所定の深さの取付け孔３１ａが形成されており、この取付け孔３１ａに、前記バックチェックワイヤ４１が挿入されることにより、バックチェック３０が鍵２に取り付けられている。
【００３０】
また、バックチェック本体３１の左右の両側部にはそれぞれ、外周部以外のほぼ全面わたり、減量凹部３１ｂ（凹部）、３１ｂが互いに対称に形成されいる。図３に示すように、各減量凹部３１ｂは、取付け孔３１ａに相当する部分は、これを回避するように浅く、これ以外の部分はより大きな一定の深さを有している。また、バックチェック本体３１の前面の上半部から、後面の上部にわたる部分は、それらの面に沿って所定の深さで切り欠かれており、切り欠かれた部分の前面が、フェルト貼付け面３１ｄ（貼付け面）に、後面がクッション材貼付け面３１ｅになっている。また、フェルト貼付け面３１ｄの上下方向の中央部がわずかに盛り上がっている。
【００３１】
図２（ａ）に示すように、フェルト貼付け面３１ｄには、所定の厚さの前記アンダーフェルト３２が貼り付けられていて、バックチェック本体３１の前面の下側の部分と面一になっている。上述したように、フェルト貼付け面３１ｄの上下方向の中央部がわずかに盛り上がっているので、これに貼り付けられたアンダーフェルト３２の上下方向の中央部もまた、フェルト貼付け面３１ｄの形状に従って、わずかに盛り上がっている。
【００３２】
また、クッション材３３は、例えば鹿革または人工皮革によって構成されており、バックチェック本体３１の前面の下端から、その前面およびアンダーフェルト３２の表面に沿い、さらに後面のクッション材貼付け面３１ｅにわたって貼り付けられており、それにより、アンダーフェルト３２を前方から覆っている。また、前述したように、フェルト３２の上下方向の中央部が盛り上がっているので、その表面に貼り付けられたクッション材３３の形状もまたそれに従っている。その結果、クッション材３３の前面は、フェルト貼付け面３１ｄの中央部に対応する部分がわずかに盛り上がっているとともに、その下方のフェルト３２とバックチェック本体３１の境界部付近がわずかに窪んでいて、以上により、クッション材３３の前面は、全体としてほぼ緩やかに湾曲する曲面形状の係止面３３ａになっている。係止面３３ａがこのような曲面形状を有していることにより、図４に示すように、離鍵状態からの押鍵に伴い、ハンマー３が回動する際に、ハンマー３のテール部３５ａが、係止面３３ａに沿って回動することで、バックチェック３０と接触することを確実に回避できる。また、ハンマー３が、弦Ｓを打弦した後、復帰回動する際に、ハンマー３のテール部３５ａが、係止面３３ａの窪みの部分に係止されることで、バックチェック３０への衝突の際の衝撃を効果的に緩衝できるとともにハンマー３を確実に停止させることができ、ハンマー３のリバウンドが確実に防止される。
【００３３】
以上の構成のアクション１の動作は、前述した従来のアクション５０の動作と基本的に同じであるので、その説明は省略する。
【００３４】
以上の構成のアクション１によれば、バックチェック本体３１のフェルト貼付け面３１ｄは、その上下方向の中央部が盛り上がるように形成されており、このような形状のフェルト貼付け面３１ｄを介して、アンダーフェルト３２およびクッション材３３を順に貼り付けるだけで、フェルト貼付け面３１ｄの形状により、バックチェック３０の係止面３３ａを所定の曲面形状にすることができる。したがって、アンダーフェルト３２をバックチェック本体３１に貼り付けた後に、その形状を整える必要がないので、その分、製造に要するコストを削減することができる。
【００３５】
また、バックチェック本体３１に左右対称の減量凹部３１ｂ、３１ｂが形成されているので、その分、バックチェック３０が軽量化されている。このため、適正な静的荷重を得るための鍵重りの量を削減することができ、その分、製造コストをさらに削減することができる。
【００３６】
なお、本発明は、上述した実施形態に限定されることなく、種々の態様で実施することができる。例えば、実施形態では、バックチェック３０を軽量化するために、バックチェック本体３１に、左右対称の減量凹部３１ｂ、３１ｂを設けているが、これに限定されることなく、取付け孔３１ａに干渉せず且つバックチェック本体３１の強度を損なわない範囲で、減量凹部３１ｂの数や形状を、自由に設定することができる。また、同じ条件を満たす範囲で、減量凹部３１ｂに代えて、バックチェック本体３１を貫通する孔を設けてもよい。
【００３７】
また、実施形態は、本発明をアコースティックなグランドピアノのバックチェックに適用した例であるが、本発明は、これに限定されることなく、アップライト型ピアノや電子ピアノなど、アクション機構を有するピアノのバックチェック全般に適用することができる。その他、本発明の趣旨の範囲内で、細部の構成を適宜、変更することが可能である。
【００３８】
【発明の効果】
以上のように、本発明のピアノのバックチェックは、復帰回動するハンマーを確実に係止できるとともに、製造コストを削減することができるなどの効果を有する。
【図面の簡単な説明】
【図１】本発明を適用したバックチェックを含むグランドピアノのアクションの側面図である。
【図２】図１のバックチェックを示す側面図であり、（ａ）バックチェックを組み立てた状態、および（ｂ）バックチェックを分解した状態をそれぞれ示す。
【図３】図２（ａ）の線Ａ−Ａに沿う断面図である。
【図４】ハンマーがバックチェックに係止された状態を示す側面図である。
【図５】従来のバックチェックを含むグランドピアノのアクションの側面図である。
【図６】従来のバックチェックの他の例、およびハンマーヘッド付近の拡大図である。
【符号の説明】
３      ハンマー
３０      バックチェック
３１      バックチェック本体
３１ｂ    減量凹部（凹部）
３１ｄ    フェルト貼付け面（貼付け面）
３２      アンダーフェルト
３３      クッション材
３３ａ    係止面
【図１】
2005031284.tif 000003
【図２】
2005031284.tif 000004
【図３】
2005031284.tif 000005
【図４】
2005031284.tif 000006
【図５】
2005031284.tif 000007
【図６】
2005031284.tif 000008